(57)【特許請求の範囲】
【請求項１】
上端が開口する有底円筒状で、導入された試料液の旋回流が形成される内槽と、
前記内槽に前記試料液を導入する導入器と、
前記導入器から前記内槽に導入された前記試料液のうち、前記開口からオーバフローした前記試料液が流入する外槽と、
を有してなる調整槽であって、
前記導入器は、前記内槽の底面に立設され、
前記内槽の底面には、前記内槽に導入された前記試料液の水質を測定する測定装置に接続される供給口が設けられる、
ことを特徴とする調整槽。
【請求項２】
前記導入器は、前記内槽の側壁に向けて前記試料液を導入する、
請求項１記載の調整槽。
【請求項３】
前記導入器は、前記内槽の底面に向けて前記試料液を導入する、
請求項１記載の調整槽。
【請求項４】
前記導入器の高さ方向の長さは、可変である、
請求項１乃至３のいずれかに記載の調整槽。
【請求項５】
前記内槽の底面は、すり鉢状である、
請求項１乃至４のいずれかに記載の調整槽。
【請求項６】
前記供給口には、前記試料液に含まれる異物を捕捉するフィルタが配置される、
請求項１乃至５のいずれかに記載の調整槽。
【発明の詳細な説明】
【技術分野】
【０００１】
本発明は、水質の測定などに用いられる試料液から異物を除去する調整槽に関する。
【背景技術】
【０００２】
上水、下水、河川水、湖沼水、生活排水、工業排水などの試料液の水質などを測定する測定装置の前段に、調整槽が設けられることがある。すなわち、試料液は、測定装置に導入される前に調整槽に導入される。調整槽は、調整槽の側壁に設けられた導入手段から試料液を槽内に導入して試料液の旋回流を形成して、試料液に含まれるゴミや泥などの不溶固形物や気泡などの異物を除去する（例えば、特許文献１−２参照）。調整槽で異物が除去された試料液は、測定装置に導入される。
【０００３】
このように、異物が除去された試料液が測定装置に導入されることで、測定装置の測定値に対する異物による影響が抑えられ、あるいは、測定装置が不溶固形物で目詰まりして故障などするのを防ぐことができる。
【０００４】
一方、試料液に含まれる不溶固形物を除去する調整槽の槽内に不溶固形物が残存してしまうと、残存している不溶固形物から藻、苔、微生物などの汚れが発生し、残存している不溶固形物そのものや発生した汚れが測定装置に導入される試料液に混入してしまう。
【０００５】
不溶固形物や気泡などの異物は、特許文献１，２に記載されているように、試料液の旋回流を形成させることで、槽内に残存しにくくなる。
【先行技術文献】
【特許文献】
【０００６】
【特許文献１】特許第４３６０３３０号明細書
【特許文献２】特許第５０２３４８５号明細書
【発明の概要】
【発明が解決しようとする課題】
【０００７】
しかし、特許文献１，２に記載されているのは、円筒状の側壁に試料液の導入手段が設けられた構成である。円筒状の側壁は曲面であるため、円筒状の側壁に孔を形成して導入手段を挿通させて水密に固定するには加工がしにくく、調整槽の構造が複雑になる。
【０００８】
本発明は、以上のような従来技術の問題点を解消するためになされたもので、簡易な構造で、異物を除去することができ、槽内に異物が残存しにくい調整槽を提供することを目的とする。
【課題を解決するための手段】
【０００９】
本発明は、上端が開口する有底円筒状で、導入された試料液の旋回流が形成される内槽と、内槽に試料液を導入する導入器と、導入器から内槽に導入された試料液のうち、開口からオーバフローした試料液が流入する外槽と、を有してなる調整槽であって、導入器は、内槽の底面に立設される、ことを特徴とする。
【発明の効果】
【００１０】
本発明によれば、簡易な構造で、異物を除去することができ、槽内に異物が残存しにくい。
【図面の簡単な説明】
【００１１】
【図１】本発明にかかる調整槽の実施の形態を示す平面図である。
【図２】図１の調整槽の側面図である。
【図３】図１の調整槽から導入器が取り外された状態の調整槽の平面図である。
【図４】図３のＡ−Ａ断面図である。
【図５】図４の要部拡大図である。
【図６】上記導入器の側面図である。
【発明を実施するための形態】
【００１２】
以下、図面を参照しながら、本発明にかかる調整槽の実施の形態について説明する。
【００１３】
図１は、本発明にかかる調整槽の実施の形態を示す平面図である。
図２は、図１の調整槽の側面図である。
調整槽１は、内槽１０と、外槽２０と、導入器３０とを有してなる。
【００１４】
内槽１０は、試料液の旋回流が形成される槽である。試料液は、例えば、上水、下水、河川水、湖沼水、生活排水、工業排水などである。
【００１５】
外槽２０は、内槽１０に導入された試料液のうち、内槽１０からオーバフローした試料液が流入する槽である。外槽２０は、内槽１０を収容している。すなわち、内槽１０は、外槽２０の内部に配置されている。
【００１６】
導入器３０は、内槽１０に試料液を導入する部材である。
【００１７】
調整槽１は、導入器３０から内槽１０に導入された試料液の一部を、異物と共に外槽２０にオーバフローさせると共に、内槽１０内の試料液を、試料液の水質などを測定する測定装置に供給する。試料液に含まれる異物は、例えば、ゴミや泥などの不溶固形物や気泡などである。測定装置による測定の対象は、例えば、試料液中の各種イオンや試料液の濁度、色度、化学的酸素要求量（ＣＯＤ：Chemical Oxygen Demand）、生物化学的酸素要求量（ＢＯＤ：Biochemical Oxygen Demand）、全りん、全窒素などである。
【００１８】
内槽１０は、内槽壁１１と、内槽底１２とを有してなる有底円筒状である。内槽壁１１は、内槽１０の側壁であり、円筒状である。内槽底１２は、内槽１０の底面であり、平面視円形のすり鉢状である。内槽壁１１の上端は開口している。
【００１９】
内槽底１２の平面視中央には、固定部材１４と固定部材１５（図５参照）との間に挟持されてネジＳで固定されたフィルタ１３が設けられている。フィルタ１３の目の粗さは、例えば、試料液に含まれる異物の大きさや、調整槽１の後段の測定装置による測定に影響を及ぼす異物の大きさなどに応じて決定される。
【００２０】
外槽２０は、外槽壁２１と、外槽底４０とを有してなる。外槽壁２１は、平面視矩形の筒状である。外槽壁２１の上端は開口している。外槽壁２１の上端の開口の高さ位置は、内槽壁１１の上端の開口の高さ位置よりも高い。外槽底４０は、外槽２０の底面であり、平板状である。外槽底４０には、高さ方向に貫通された排出口４０ｈが形成されている。排出口４０ｈは、内槽１０から外槽２０にオーバフローした試料液を調整槽１の外部に排出させる孔である。
【００２１】
内槽壁１１と、内槽底１２と、外槽壁２１と、外槽底４０の材質は、試料液に対する耐食性や耐久性などに基づいて選択されたものであって、例えば、合成樹脂などである。
【００２２】
図３は、導入器３０が取り外された状態の調整槽１の平面図である。
内槽底１２には、導入口３０ｈが形成されている。導入口３０ｈは、試料液の供給経路に連通する孔である。すなわち、調整槽１は、導入口３０ｈと連通する供給経路を介して試料液の供給装置と接続している。
【００２３】
図４は、図３のＡ−Ａ断面図である。
外槽底４０の平面視中央には、円形の孔が形成されている。この孔には、内槽壁１１の下端側の部分が挿入されている。外槽底４０に形成された孔に挿入された内槽壁１１の下端側の部分の内側には、支持台５０が配置されている。内槽壁１１の下端側の部分は、外槽底４０と支持台５０とに挟持されて固定されている。
【００２４】
支持台５０の上面（紙面上側の面）は、内槽底１２と同様のすり鉢状に形成されていて、この支持台５０のすり鉢状に形成された面の表面に内槽底１２が配置されている。導入口３０ｈは、支持台５０の高さ方向（紙面上下方向）に貫通して形成されている。導入口３０ｈの上端側は、内槽底１２を貫通している。導入口３０ｈの上端の高さ位置は、外槽底４０の上面の高さ位置と略一致している。
【００２５】
支持台５０の平面視中央には、高さ方向に貫通された供給口１０ｈが形成されている。供給口１０ｈは、調整槽１から測定装置に供給される試料液の供給経路と連通する孔である。すなわち、調整槽１は、供給口１０ｈと連通する供給経路を介して試料液の測定装置と接続している。
【００２６】
図５は、図４中の符号Ｘで示した部分の拡大図である。
供給口１０ｈの上端は、フィルタ１３で覆われている。フィルタ１３は、供給口１０ｈに連通する孔であって、内槽底１２の平面視中央に形成された円形の孔に配置されたドーナツ状の２枚の固定部材１４，１５の間に挟持されている。フィルタ１３を挟持する固定部材１４，１５は、固定部材１４の上面側から固定部材１５を貫通して支持台５０に螺合されたネジＳにより、支持台５０に固定されている。
【００２７】
図６は、導入器３０の側面図である。
導入器３０は、パイプ３１と、ネジ部３２と、ストッパ３３と、パイプ受部３４と、Ｌ字部３５と、吐出部３６とを有してなる。導入器３０を構成する各部材の材質は、試料液に対する耐食性や耐久性などに基づいて選択されたものであって、例えば、合成樹脂などである。
【００２８】
パイプ３１は、略直管状である。ネジ部３２と、ストッパ３３とには、パイプ３１が挿通される孔が形成されている。パイプ３１は、ネジ部３２とストッパ３３とに挿通されて、パイプ３１の上端がパイプ受部３４に取り付けられている。ストッパ３３は、パイプ３１にネジ部３２を固定する。パイプ受部３４には、Ｌ字状のＬ字部３５が取り付けられている。Ｌ字部３５の両端のうちパイプ受部３４が取り付けられていない側の先端は、吐出部３６である。パイプ３１の下端側から導入された試料液は、パイプ受部３４とＬ字部３５とを介して吐出部３６から吐出される。
【００２９】
なお、Ｌ字部３５や吐出部３６の構成において、吐出部３６から吐出される試料液の吐出方向が可変するようにしてもよい。
【００３０】
ネジ部３２の下端側には、内槽底１２に形成された導入口３０ｈの上端側の内周面に形成された雌ネジと螺合する雄ネジが形成されている。すなわち、ネジ部３２の下端を内槽底１２の導入口３０ｈの上端に挿入して螺合することで、導入器３０は内槽底１２に立設される。
【００３１】
ネジ部３２とストッパ３３とは、パイプ３１の長さ方向に沿って移動可能である。すなわち、ストッパ３３とパイプ受部３４との間の長さは、可変である。つまり、ストッパ３３とパイプ受部３４との間の長さが長いとき、内槽底１２から吐出部３６までの長さは長い。一方、ストッパ３３とパイプ受部３４との間の長さが短いとき、内槽底１２から吐出部３６までの長さは短い。このように、ストッパ３３とパイプ受部３４との間の長さを調整することで、導入器３０の高さ方向の長さは可変である。
【００３２】
調整槽１は、試料液の供給装置から供給される試料液を、導入器３０を介して内槽１０に導入する。導入器３０は、吐出部３６から吐出される試料液が内槽壁１１、つまり、内槽１０の側壁に直接当たるように、吐出部３６の向きが設定されている。
【００３３】
試料液は、内槽壁１１に当たって、内槽壁１１に沿いながら内槽１０に導入される。そのため、内槽１０内で試料液の旋回流（渦）が形成される。旋回流が形成される内槽１０内の試料液の高さ方向の位置は、旋回による遠心力で、内槽１０の中央部分が低く、内槽壁１１に向けて高くなる。
【００３４】
試料液に含まれる異物は、試料液の旋回流の外側に移動して、内槽壁１１の上端側の開口からオーバフローする試料液と共に外槽２０に移動する。外槽２０に流入した異物は、外槽２０に流入した試料液と共に排出口４０ｈを通過して、調整槽１の外部に排出される。
【００３５】
内槽１０内の試料液は、フィルタ１３を介して供給口１０ｈから測定装置に供給される。このとき、内槽１０内の平面視中央部分、つまり、試料液の旋回流の中心部分には、旋回流の外側（内槽壁１１に近い側）の部分に比べて異物は少ないものの、完全に異物が存在しないとも限らない。しかし、たとえ、試料液の旋回流の中心部分に異物が残存していたとしても、フィルタ１３により捕捉されるため、フィルタ１３で覆われた供給口１０ｈから測定装置に供給される試料液に異物が混入することはない。
【００３６】
なお、フィルタ１３を上水などにより逆洗する、つまり、供給口１０ｈから水道水などを内槽１０内に導入するようにしてもよい。この逆洗により、フィルタ１３またはその近傍に堆積した異物を内槽１０の上方に移動させて、外槽２０にオーバフローする試料液と共に、外槽２０に移動させることができる。
【００３７】
以上説明した実施の形態によれば、調整槽１は、内槽底１２に立設された導入器３０から吐出される試料液を内槽壁１１に当てながら内槽１０に導入する簡易な構成により、内槽１０内で試料液の旋回流を形成させて、試料液に含まれる異物を除去することができ、内槽壁１１の内周面に異物を残存しにくくすることができる。
【００３８】
特に、内槽１０内に存在する突起物は、内槽底１２に設けられた導入器３０のみである。換言すれば、内槽壁１１には、突起物は設けられていない。すなわち、内槽壁１１には、内槽１０内で旋回する試料液の旋回を制限するものが存在しない。そのため、内槽１０内での試料液の旋回流は形成されやすい。また、導入器３０は内槽底１２に設けられるため、円筒状の側壁に導入手段を設ける従来の調整槽に比べて、調整槽１の加工はし易い。
【００３９】
また、内槽１０に導入される試料液は、内槽底１２側から導入されるため、内槽１０内での試料液の旋回流の流速を高めることができ、内槽壁１１の内周面に異物が残存しにくい効果を高めることができる。
【００４０】
さらに、内槽１０の底面である内槽底１２はすり鉢状であるため、内槽１０内での試料液の旋回流の流速をさらに高めることができ、内槽壁１１の内周面に異物が残存しにくい効果をさらに高めることができる。
【００４１】
さらにまた、導入器３０の高さ方向の長さは可変であるため、内槽１０内での試料液の旋回流が形成されやすいように、例えば、試料液の種類や内槽底１２の形状などに応じて導入器３０の高さ方向の長さを容易に調整することができる。
【００４２】
なお、以上説明した実施の形態は、導入器３０から吐出される試料液を内槽壁１１に当てながら内槽１０に導入する構成であった。これに代えて、内槽底１２から吐出部３６までの高さ方向の長さや、吐出部３６の吐出方向を設定することで、導入器３０から吐出される試料液を内槽底１２に当てながら導入する構成としてもよい。この構成によれば、内槽底１２がすり鉢状であることから、内槽底１２に当たった試料液は内槽１０内で旋回流を形成する。その結果、内槽壁１１の内周面に異物を残存しにくくすることができる。
【符号の説明】
【００４３】
１    調整槽
１０    内槽
１０ｈ  供給口
１１    内槽壁
１２    内槽底
２０    外槽
２１    外槽壁
３０    導入器
３０ｈ  導入口
４０    外槽底
４０ｈ  排出口
５０    支持台
【図１】
0006643750.tif 000002
【図２】
0006643750.tif 000003
【図３】
0006643750.tif 000004
【図４】
0006643750.tif 000005
【図５】
0006643750.tif 000006
【図６】
0006643750.tif 000007